(57)【要約】【課題】  同報通信システムにおいて、同一の同報無線回線を使用し、屋外子局からの放送を即時に行う方式を提供する。【解決手段】  遠隔放送システム１０００は、この同報通信システムの無線通信方式をデジタル無線通信方式にし、親局１００に親局遠隔放送制御部１０４、屋外子局２００ａに子局遠隔放送制御部２０５ａと子局遠隔放送操作部２０６ａを設け、親局１００において屋外子局２００ａから親局１００に放送の内容を送信する通信回線（デジタル同報無線回線）と親局１００から屋外子局２００ｂ，２００ｃ等に放送を行う放送回線とを接続し、屋外子局２００ａから任意の受信子局等に即時に放送を行うことができるようにした。【選択図】        図１
2006041874.tif 000002
【特許請求の範囲】
【請求項１】
デジタル通信を行う親局と、デジタル通信により前記親局に所定内容の放送情報を送信する放送情報送信子局と、デジタル通信により前記親局から前記放送情報を受信する受信子局とを備えた遠隔放送システムにおいて、
前記親局は、
前記放送情報送信子局と自己とのデジタル通信に用いる第１デジタル回線と、前記受信子局と自己とのデジタル通信に用いる第２デジタル回線とを接続し、前記放送情報送信子局から第１デジタル回線を介して前記放送情報を受信し、受信した前記放送情報を第２デジタル回線を介してリアルタイムで前記受信子局に送信することを特徴とする遠隔放送システム。
【請求項２】
前記放送情報送信子局は、
第１デジタル回線と第２デジタル回線との接続を要求する接続要求信号を第１デジタル回線を介して前記親局に送信し、
前記親局は、
前記接続要求信号を受信した場合に、第１デジタル回線と第２デジタル回線とを接続することを特徴とする請求項１記載の遠隔放送システム。
【請求項３】
前記遠隔放送システムは、
複数の受信子局を備え、
前記放送情報送信子局は、
前記親局から前記放送情報を受信する１以上の受信子局の指定を含む接続要求信号を第１デジタル回線を介して前記親局に送信し、
前記親局は、
前記接続要求信号を受信した場合に、自己と前記接続要求信号に含まれる受信子局とのデジタル通信に用いる第２デジタル回線と、第１デジタル回線とを接続することを特徴とする請求項１記載の遠隔放送システム。
【請求項４】
所定内容の放送情報を送信する放送情報送信子局とデジタル通信するとともに、前記放送情報を受信する受信子局とデジタル通信する親局において、
前記親局は、
前記放送情報送信子局と自己とのデジタル通信に用いる第１デジタル回線と、前記受信子局と自己とのデジタル通信に用いる第２デジタル回線とを接続し、前記放送情報送信子局から第１デジタル回線を介して前記放送情報を受信し、受信した前記放送情報を第２デジタル回線を介してリアルタイムで前記受信子局に送信することを特徴とする親局。
【請求項５】
デジタル通信を行う親局に所定内容の放送情報をデジタル通信により送信し、前記親局とデジタル通信を行う受信子局に前記親局から前記放送情報を送信させる放送情報送信子局において、
自己と前記親局とのデジタル通信に用いる第１デジタル回線と、前記受信子局と前記親局とのデジタル通信に用いる第２デジタル回線との接続を要求する接続要求信号を第１デジタル回線を介して前記親局に送信することにより第１デジタル回線と第２デジタル回線とを前記親局に接続させ、第１デジタル回線を介して前記放送情報を前記親局に送信し、送信した前記放送情報を前記親局により第２デジタル回線を介して前記受信子局にリアルタイムで送信させることを特徴とする放送情報送信子局。
【発明の詳細な説明】
【技術分野】
【０００１】
この発明は、同報通信システムにおいて、同一の同報無線回線を使用し、屋外子局からの放送（遠隔放送）を即時に行う方式に関するものである。
【背景技術】
【０００２】
従来の同報通信システム（例えば、特許文献１）においては、同一の同報無線回線を使用して遠隔放送を行う場合、屋外子局から親局に放送の内容を登録し、自動放送を行う構成（自動放送遠隔登録方式）にしている。
【０００３】
従来の自動放送遠隔登録方式（特許文献１）は以上のように構成されているので、親局に放送の内容を登録するための装置が必要であり、また、一度、親局に放送の内容を登録することが必要なため、緊急時等に即時に放送することができないなどの問題点があった。
【０００４】
また、特許文献２ではデジタル通信網を使用した同報通信システムにおいて、拡声子局に遠隔制御装置を接続して親局との要求及びデータの双方向の通信を行う技術の開示がある。しかし、即時に放送する技術についての具体的な開示はない。
【特許文献１】特開２００３−１７４４２３号公報
【特許文献２】特開２００２−１５８３１１号公報
【発明の開示】
【発明が解決しようとする課題】
【０００５】
この発明は、上記のような問題点を解消するためになされたもので、同一の同報無線回線を使用し、屋外子局からの放送を即時に行うことを目的とする。
【課題を解決するための手段】
【０００６】
本発明の遠隔放送システムは、
デジタル通信を行う親局と、デジタル通信により前記親局に所定内容の放送情報を送信する放送情報送信子局と、デジタル通信により前記親局から前記放送情報を受信する受信子局とを備えた遠隔放送システムにおいて、
前記親局は、
前記放送情報送信子局と自己とのデジタル通信に用いる第１デジタル回線と、前記受信子局と自己とのデジタル通信に用いる第２デジタル回線とを接続し、前記放送情報送信子局から第１デジタル回線を介して前記放送情報を受信し、受信した前記放送情報を第２デジタル回線を介してリアルタイムで前記受信子局に送信することを特徴とする。
【発明の効果】
【０００７】
この発明によれば、屋外子局からの遠隔放送を、一度親局に登録することなく、即時に受信子局等に放送することができる。したがって、緊急時等に即時に遠隔放送を行うことができる。
【発明を実施するための最良の形態】
【０００８】
実施の形態１．
以下、この発明の実施の形態１を図１〜図４を参照して説明する。
図１は、実施の形態１に係る遠隔放送システム１０００の構成を示す図である。
図２は、遠隔放送システム１０００における親局１００と屋外子局２００ａとの構成を示すブロック図である。
図３は、遠隔放送システム１０００でやりとりされる主な信号を示す図である。
図４は、遠隔放送システム１０００の動作を示すフローチャートである。
【０００９】
図１に示すように、遠隔放送システム１０００は、親局１００、屋外子局２００ａ，２００ｂ，２００ｃ、拡声子局３００及び戸別受信機４００を備える。屋外子局２００ａ，２００ｂ，２００ｃは、同一の構成である。本実施の形態では、屋外子局２００ａが後述の放送内容を送信する場合を例に説明する。
【００１０】
親局１００は、屋外子局２００ａ、２００ｂ等の送信する放送内容（放送情報）を受信して、受信した放送内容を屋外子局、拡声子局、戸別受信機等の「受信子局」に送信する。これら屋外子局、拡声子局、戸別受信機等を以下、「受信子局等」という。ここで「受信子局」とは、前記放送内容を親局１００から受信する子局をいい、戸別受信機をも含む。また、本実施の形態においては、「屋外子局」（放送情報送信子局の一例）とは、放送内容を親局１００へ送信する放送情報送信子局の機能と、親局１００から放送内容を受信しスピーカにより放送する受信子局の機能とを有する。「拡声子局」とは、親局からの放送内容を受信して、スピーカにより放送する機能のみを有する。
【００１１】
親局１００とそれぞれの「子局」との通信は、デジタル同報無線回線１１を用いて行う。放送内容を送信する屋外子局２００ａと親局１００とを結ぶ回線（すなわちデジタル同報無線回線１１）を「通信回線」（第１デジタル回線）と呼ぶ場合がある。また、親局１００とそれぞれの受信子局、すなわち、屋外子局２００ｂ、２００ｃ、拡声子局３００、戸別受信機４００を結ぶ回線を「放送回線」（第２デジタル回線）と呼ぶ場合がある。
【００１２】
次に、図２を参照して、親局１００及び屋外子局２００ａの構成を説明する。屋外子局２００ｂ、２００ｃの構成は、屋外子局２００ａと同一である。以下の説明では屋外子局２００ａを例に説明するが、屋外子局２００ｂ、２００ｃについても同様である。
【００１３】
親局１００は、親局操作部１０１、親局通信制御部１０２、親局送受信部１０３、親局遠隔放送制御部１０４及び親局空中線１０５から構成される。
【００１４】
屋外子局２００ａは、子局送受信部２０１ａ、子局通信制御部２０２ａ、子局拡声部２０３ａ、子局スピーカ２０４ａ、子局遠隔放送制御部２０５ａ、子局遠隔放送操作部２０６ａ、屋外子局空中線２０７ａから構成される。
【００１５】
次に、図３を参照して、遠隔放送システム１０００でやり取りされる信号について説明する。主な信号として、遠隔放送制御信号Ｓ１、接続完了信号Ｓ２、遠隔放送内容信号Ｓ３（放送情報の一例）、放送内容信号Ｓ４の４つがある。
【００１６】
遠隔放送制御信号Ｓ１（接続要求信号の一例）は、遠隔放送の開始、放送の相手先等を指定し、親局１００に対して回線の接続を要求する。この遠隔放送制御信号Ｓ１は、屋外子局２００ａの子局遠隔放送操作部２０６ａから入力され、親局１００の親局遠隔放送制御部１０４に受信される。受信した遠隔放送制御信号Ｓ１に基づいて、親局１００は、屋外子局２００ａから放送内容を送信する「通信回線」と、親局１００から受信子局等に放送を行う「放送回線」とを接続する。
【００１７】
接続完了信号Ｓ２は、親局１００が送信する信号であり、接続の完了を知らせる信号である。接続完了信号Ｓ２は、屋外子局２００ａから親局１００に向けて放送内容を送信する「通信回線」と、親局１００から前記放送内容を受信する受信子局等に放送を行う「放送回線」とが接続された場合、親局１００の親局遠隔放送制御部１０４から送信され、屋外子局２００ａの子局遠隔放送制御部２０５ａに受信される。
【００１８】
遠隔放送内容信号Ｓ３は、屋外子局２００ａの送信する所定の放送内容の信号である。遠隔放送内容信号Ｓ３は、親局１００からの接続完了信号Ｓ２を子局遠隔放送制御部２０５ａが受信した場合、子局遠隔放送操作部２０６ａから入力される。そして、親局遠隔放送制御部１０４により、親局１００から受信子局等に向けて放送を行う「放送回線」に接続され、それぞれの受信子局において放送内容信号Ｓ４として子局スピーカから放送される。
【００１９】
次に、図４を参照して動作を説明する。
（１）遠隔放送の開始、放送の相手先等を指定する遠隔放送制御信号Ｓ１が屋外子局２００ａの子局遠隔放送操作部２０６ａに入力され（ＳＴ１０１）、そして子局遠隔放送制御部２０５ａを介して子局通信制御部２０２ａに入力されると、子局通信制御部２０２ａにおいてデジタル同報無線回線１１にて送出可能なデータに変換される。
（２）そして、子局送受信部２０１ａ、屋外子局空中線２０７ａを介して送信される（ＳＴ１０２）。そして、デジタル同報無線回線１１、親局空中線１０５、親局送受信部１０３を通して、親局通信制御部１０２に入力され、遠隔放送の開始、放送の相手先等を指定する制御信号（信号Ｓ１相当）に変換されて、親局遠隔放送制御部１０４に入力される。
（３）この変換された制御信号（信号Ｓ１相当）が親局遠隔放送制御部１０４に入力されると、親局遠隔放送制御部１０４は、屋外子局２００ａから自己（親局１００）に放送内容を送信するデジタル同報無線回線１１（第１デジタル回線）と、親局１００から受信子局等に放送を行う「放送回線」（第２デジタル回線）とを接続し、放送内容を送信する相手先等を指定する制御信号を親局通信制御部１０２に出力する（ＳＴ１０３）。
（４）親局通信制御部１０２は、この相手先等を指定する制御信号が入力されると、相手先等を指定する制御信号を無線回線にて送出可能なデータに変換し、受信子局等に出力する（ＳＴ１０４）。ここで、遠隔放送システム１０００の無線通信方式をデジタル無線通信方式にすることにより、屋外子局２００ａから放送の内容を送信する「通信回線」（デジタル同報無線回線１１）と、親局１００から受信子局等に放送を行う「放送回線」とを接続し、同時に使用することが可能となる。
（５）「通信回線」（デジタル同報無線回線１１）と「放送回線」の接続が完了すると、親局遠隔放送制御部１０４は、接続完了信号Ｓ２を、親局通信制御部１０２、親局送受信部１０３、親局空中線１０５、デジタル同報無線回線１１、屋外子局空中線２０７ａ、子局送受信部２０１ａ、子局通信制御部２０２ａを通して、子局遠隔放送制御部２０５ａに送信する（ＳＴ１０５）。
（６）子局遠隔放送制御部２０５ａが接続完了信号Ｓ２を受信した場合、遠隔放送の送信者は、子局遠隔放送操作部２０６ａに遠隔放送内容信号Ｓ３を入力する（ＳＴ１０６）。
（７）この遠隔放送内容信号Ｓ３は、子局遠隔放送操作部２０６ａ、子局遠隔放送制御部２０５ａ、子局通信制御部２０２ａ、子局送受信部２０１ａ、屋外子局空中線２０７ａを介して、親局１００に送信される（ＳＴ１０７）。そして、デジタル同報無線回線１１、親局空中線１０５、親局送受信部１０３、親局通信制御部１０２を通して、親局遠隔放送制御部１０４に入力される。この親局遠隔放送制御部１０４において親局１００から受信子局等に放送を行う「放送回線」に接続され、親局送受信部１０３、親局空中線１０５、を介してそれぞれの受信子局に送信される。例えば、屋外子局２００ｂ（屋外子局２００ａと同一の構成である）を例にとれば、デジタル同報無線回線、屋外子局空中線２０７ｂを介して子局送受信部２０１ｂにより遠隔放送内容信号Ｓ３を受信する。受信した遠隔放送内容信号Ｓ３は、さらに、子局通信制御部２０２ｂ、子局拡声部２０３ｂを通して、放送内容信号Ｓ４として子局スピーカ２０４ｂからリアルタイムで放送される。
【００２０】
実施の形態１に係る遠隔放送システム１０００は、親局１００が通信回線と放送回線とを接続して、リアルタイムで放送内容を受信子局等に送信するので、屋外子局からの放送を即時に行うことができる。
【００２１】
実施の形態１に係る遠隔放送システム１０００は、親局１００が接続要求信号に含まれる受信子局等の放送回線と通信回線を接続するので、放送内容を送信したい受信子局に、即時に放送内容を送信することができる。
【００２２】
実施の形態１に係る親局は、通信回線と放送回線とを接続して、リアルタイムで放送内容を受信子局等に送信するので、屋外子局からの放送を即時に行うことができる。
【００２３】
実施の形態１に係る屋外子局は、親局に通信回線と放送回線と接続させ、通信回線を介して放送情報を親局に送信し、送信した放送情報を親局により放送回線を介して受信子局等にリアルタイムで送信させるので、自己の送信する放送内容を即時に受信子局等に送信することができる。
【００２４】
以上のように、本実施の形態に係る遠隔放送システムは、同報通信システムの無線通信方式をデジタル無線通信方式にし、親局に親局遠隔放送制御部、屋外子局に子局遠隔放送制御部と子局遠隔放送操作部を追加し、親局において屋外子局から親局に放送の内容を送信する通信回線と親局から受信子局等に放送を行う放送回線を接続することを特徴とする。これにより、屋外子局から任意の受信子局等に即時に放送を行うことができる。
【００２５】
実施の形態２．
次に、図５を参照して、実施の形態２を説明する。図５は、実施の形態２に係る遠隔放送システム２０００を示す。遠隔放送システム２０００は、実施の形態１の遠隔放送システム１０００に対して、屋外子局２００ａに遠隔制御装置２１０ａを接続した実施形態である。遠隔制御装置２１０ａを屋外子局２００ａに接続することにより、屋外子局２００ａと離れた場所から、放送内容を送信することができる。遠隔制御装置２１０ａと屋外子局２００ａとの接続は有線でもよいし無線でも構わない。
【図面の簡単な説明】
【００２６】
【図１】実施の形態１に係る遠隔放送システム１０００の構成を示す図である。
【図２】実施の形態１に係る遠隔放送システム１０００における親局１００と屋外子局２００ａとの構成を示すブロック図である。
【図３】実施の形態１に係る遠隔放送システム１０００でやりとりされる主な信号を示す図である。
【図４】遠隔放送システム１０００の動作を示すフローチャートである。
【図５】実施の形態２に係る遠隔放送システム２０００の構成を示す図である。
【符号の説明】
【００２７】
１１  デジタル同報無線回線、１００  親局、１０１  親局操作部、１０２  親局通信制御部、１０３  親局送受信部、１０４  親局遠隔放送制御部、１０５  親局空中線、２００ａ，２００ｂ，２００ｃ  屋外子局、２０１ａ  子局送受信部、２０２ａ  子局通信制御部、２０３ａ  子局拡声部、２０４ａ  子局スピーカ、２０５ａ  子局遠隔放送制御部、２０６ａ  子局遠隔放送操作部、２０７ａ  屋外子局空中線、２１０ａ  遠隔制御装置、３００  拡声子局、４００  戸別受信機、１０００，２０００  遠隔放送システム、Ｓ１  遠隔放送制御信号、Ｓ２  接続完了信号、Ｓ３  遠隔放送内容信号、Ｓ４  放送内容信号。
【図１】
2006041874.tif 000003
【図２】
2006041874.tif 000004
【図３】
2006041874.tif 000005
【図４】
2006041874.tif 000006
【図５】
2006041874.tif 000007